(57)【要約】本発明は、携帯用ディスクベースの情報装置を使用して更新情報を取得する方法及びシステムを提供する。ディスクベースの情報装置は、携帯情報端末(PDA)又は携帯電話のような携帯用ネットワーク装置に含まれてもよく、それに付属してもよい。更新情報は、例えば携帯電話ネットワークを通じてデータプロバイダから受信されてもよい。更新情報は、ディスクに提供された情報と比較されてもよい。更新情報は、ユーザ要求に応じてユーザに配信され、新しい情報を報告し、ディスクに提供された古い情報をデータプロバイダから受信した情報と交換してもよい。
2006511155.tif 000002
【特許請求の範囲】
【請求項１】
携帯用ディスクベースの情報装置を使用して更新情報を受信する方法であって、
データプロバイダから更新情報を要求し、
前記データプロバイダから前記更新情報を受信し、
前記ディスクに提供された情報と前記更新情報とを比較し、
ユーザ要求に応じて更新情報をユーザに配信し、新しい情報を報告し、前記ディスクに提供された古い情報を前記データプロバイダから受信した情報と交換することを有する方法。
【請求項２】
請求項１に記載の方法であって、
データプロバイダから更新情報を受信することに関連する料金を承認する最初の合意を更に有する方法。
【請求項３】
請求項１に記載の方法であって、
前記ディスクベースの情報装置は、ナビゲーション装置、都市ガイド、ホテルガイド、交通機関のスケジュール、又はビジネスディレクトリのうち１つである方法。
【請求項４】
請求項１に記載の方法であって、
前記ディスクベースの情報装置は、携帯用ネットワーク装置に動作可能に接続されている方法。
【請求項５】
請求項４に記載の方法であって、
前記携帯用ネットワーク装置は、携帯情報端末(PDA)又はセルラ電話のうち１つである方法。
【請求項６】
請求項１に記載の方法であって、
前記データプロバイダは、無線通信ネットワークを通じてアクセスされる方法。
【請求項７】
請求項４に記載の方法であって、
前記無線通信ネットワークは、移動体電話ネットワーク、ローカルエリアネットワーク又は衛星ネットワークのうち１つである方法。
【請求項８】
請求項１に記載の方法であって、
前記ディスクベースの情報装置は、読み取り専用の小型形状因子の光ディスクを有する方法。
【請求項９】
請求項１に記載の方法であって、
前記データプロバイダからの一部又は全部の更新情報は、メモリキャッシュ、ディスクキャッシュ、不揮発性ランダムアクセスメモリ(NVRAM)、磁気抵抗ランダムアクセスメモリ(MRAM)又は混合機能ディスクを有するグループから選択された１つ以上の記憶手段を使用して格納される方法。
【請求項１０】
請求項１に記載の方法であって、
データプロバイダから更新情報を要求することは、ユーザの検索基準、前記ディスクベースの情報装置の地球物理位置、前記ディスクベースの情報装置のユーザの識別子、使用されているアプリケーションの識別子、及び使用されているディスクの識別子を有するグループから選択された１つ以上のアイテムを送信することを有する方法。
【請求項１１】
請求項１０に記載の方法であって、
前記データプロバイダに送信される情報は、前記データプロバイダにより転送される更新情報の量を最小化するために使用される方法。
【請求項１２】
携帯用ディスクベースの情報装置を使用して更新情報を受信するコンピュータ使用可能媒体であって、
データプロバイダから更新情報を要求するコンピュータプログラムコードと、
前記データプロバイダから前記更新情報を受信するコンピュータプログラムコードと、
前記ディスクに提供された情報と前記更新情報とを比較するコンピュータプログラムコードと、
ユーザ要求に応じて更新情報をユーザに配信し、新しい情報を報告し、前記ディスクに提供された古い情報を前記データプロバイダから受信した情報と交換するコンピュータプログラムコードと
を有するコンピュータ使用可能媒体。
【請求項１３】
請求項１２に記載のコンピュータ使用可能媒体であって、
データプロバイダから更新情報を受信することに関連する料金を承認する最初の合意を行うコンピュータプログラムコードを更に有するコンピュータ使用可能媒体。
【請求項１４】
請求項１２に記載のコンピュータ使用可能媒体であって、
データプロバイダから更新情報を要求することは、ユーザの検索基準、前記ディスクベースの情報装置の地球物理位置、前記ディスクベースの情報装置のユーザの識別子、使用されているアプリケーションの識別子、及び使用されているディスクの識別子を有するグループから選択された１つ以上のアイテムを送信することを有するコンピュータ使用可能媒体。
【請求項１５】
請求項１４に記載のコンピュータ使用可能媒体であって、
前記データプロバイダに送信される情報は、前記データプロバイダにより転送される更新情報の量を最小化するために使用されるコンピュータ使用可能媒体。
【請求項１６】
携帯用ディスクベースの情報装置を使用して更新情報を受信するシステムであって、
データプロバイダから更新情報を要求する手段と、
前記データプロバイダから前記更新情報を受信する手段と、
前記ディスクに提供された情報と前記更新情報とを比較する手段と、
ユーザ要求に応じて更新情報をユーザに配信し、新しい情報を報告し、前記ディスクに提供された古い情報を前記データプロバイダから受信した情報と交換する手段と
を有するシステム。
【請求項１７】
請求項１６に記載のシステムであって、
データプロバイダから更新情報を受信することに関連する料金を承認する最初の合意を行う手段を更に有するシステム。
【請求項１８】
ディスクベースの情報装置を使用して更新情報を受信する方法であって、
データプロバイダから更新情報をブロードキャストし、
前記データプロバイダから前記更新情報を受信し、
前記ディスクに提供された情報と前記更新情報とを比較し、
ユーザ要求に応じて更新情報をユーザに配信し、新しい情報を報告し、前記ディスクに提供された古い情報を前記データプロバイダから受信した情報と交換することを有する方法。
【発明の詳細な説明】
【技術分野】
【０００１】
本発明は、概して無線データ伝送に関するものである。特に、本発明は、携帯用ディスクベースの情報装置を使用して更新情報を取得する方法及びシステムに関するものである。
【背景技術】
【０００２】
幅広いナビゲーション及び関心ポイント(POI:point  of  interest)システムが現在利用可能である。これらのシステムは特定の宛先へのルート情報を提供するばかりでなく、ガソリンスタンドや、ホテルや、レストランや、他のビジネス又はサービスを見つける際の支援を提供する。このようなシステムは工場設置の自動車システムでもよく、独立の携帯用装置でもよく、また、携帯情報端末(PDA)で使用されるソフトウェアパッケージでもよい。
【０００３】
ナビゲーション及びPOIシステムは、一般的にディスクベース又はインタラクティブである。ディスクベースのシステムでは、ナビゲーションシステム又は他の情報装置により必要な地図及び他のデータは、一般的に光ディスクで提供される。これらのディスクは大量の情報を格納することができ、製造及び流通するのに安価である。残念なことに、ディスクで提供される如何なる情報も完全に静的であり、最終的には古くなる。道路が追加されたとき、ビジネスが移転したとき、又はディスクの他のデータが変更したときに、新しいディスクが製造及び流通されることがある。しかし、新しいバージョンのディスクは望ましいほど頻繁に利用可能でないことがあり、頻繁に更新されるディスクですら、大きい自動車事故による道路の閉鎖や、レストランを他のものよりユーザに魅力的にし得るようなレストランにより提供される特別割引や、同様にレストランの閉店のような過渡情報を提供することができない。
【０００４】
インタラクティブシステムはしばしば自動車に設置され、無線通信システムを通じて所望の情報を提供する。これらのシステムは一般的にサーバベースであり、ディスクベースのシステムを使用して利用可能でない過渡情報を提供することができる。しかし、何らかの理由でシステムがサーバとの接続を失うと、ディスクベースのシステムにより提供される潜在的に古い情報ですら、全ての情報がユーザに利用可能でなくなる。また、インタラクティブシステムはしばしば自動車に不変に付着しており、ユーザは自動車から離れたときに情報を取得することができない。
【発明の開示】
【発明が解決しようとする課題】
【０００５】
従って、携帯用ディスクベースの情報装置を使用して更新情報を取得し、前述及び他の欠点を克服する方法及びシステムを提供することが望ましい。
【課題を解決するための手段】
【０００６】
本発明の一態様は、携帯用ディスクベースの情報装置を使用して更新情報を取得する方法を提供する。更新情報はデータプロバイダから要求され、受信される。更新情報はディスクに提供された情報と比較される。更新情報はユーザ要求に応じてユーザに配信され、新しい情報を報告し、ディスクに提供された古い情報をデータプロバイダから受信した情報と交換する。
【０００７】
本発明のその他の態様は、ディスクベースの情報装置を使用して更新情報を取得する方法を提供する。更新情報はデータプロバイダによりブロードキャストされ、データプロバイダから受信される。更新情報はディスクに提供された情報と比較される。更新情報はユーザ要求に応じてユーザに配信され、新しい情報を報告し、ディスクに提供された古い情報をデータプロバイダから受信した情報と交換する。
【０００８】
本発明の更に他の態様は、携帯用ディスクベースの情報装置を使用して更新情報を取得するプログラムを有するコンピュータ使用可能媒体を提供する。プログラムは、データプロバイダから更新情報を要求し、データプロバイダから更新情報を受信し、更新情報をディスクに提供された情報と比較し、ユーザ要求に応じて更新情報をユーザに配信し、新しい情報を報告し、ディスクに提供された古い情報をデータプロバイダから受信した情報と交換するコンピュータプログラムコードを有する。
【０００９】
本発明の更に他の態様は、携帯用ディスクベースの情報装置を使用して更新情報を取得するシステムを提供する。そのシステムは、データプロバイダから更新情報を要求する手段と、データプロバイダから更新情報を受信する手段と、更新情報をディスクに提供された情報と比較する手段と、ユーザ要求に応じて更新情報をユーザに配信し、新しい情報を報告し、ディスクに提供された古い情報をデータプロバイダから受信した情報と交換する手段とを有する。
【００１０】
本発明の前述及び他の特徴及び利点は、添付図面とともに読むことで、この好ましい実施例の以下の詳細な説明から更に明らかになる。詳細な説明及び図面は、限定ではなく、本発明の単なる例示であり、本発明の範囲は特許請求の範囲及びその均等物により定められる。
【発明を実施するための最良の形態】
【００１１】
図１は、100において、本発明に従って携帯用ディスクベースの情報装置を使用して更新情報を取得するシステムの一実施例の図を示している。
【００１２】
システム100は、１つ以上の携帯用ネットワーク装置110と、１つ以上のディスクドライブ120と、１つ以上のディスク130と、１つ以上の無線通信ネットワーク140と、１つ以上のデータプロバイダ150とを有してもよい。データプロバイダ150は、１つ以上のデータ送受信機151と、１つ以上のデータベース152とを有してもよい。
【００１３】
携帯用ネットワーク装置110は、例えば、携帯情報端末(PDA)、セルラ電話、又はその他の適切な装置でもよい。携帯用ネットワーク装置110は、ディスクドライブ120に接続されてもよい。ディスクドライブ120は、ネットワーク装置110に含まれてもよく、また、分離した周辺装置でもよい。ディスクドライブ120は、例えば青色レーザー技術を使用した小型光ディスクドライブでもよい。
【００１４】
ディスクドライブ120はプログラム又はデータディスク130を実行してもよい。プログラムとデータ記憶機能との双方が同じディスクに含まれてもよい。ディスクは、例えば、読み取り専用の小型形状因子の光ディスクでもよい。ディスクは、ナビゲーションシステム、都市ガイド、ホテルガイド、公共交通機関のスケジュール、ビジネスディレクトリ、又は何らかの適切な情報サービス用のプログラム及びデータを有してもよい。
【００１５】
携帯用ネットワーク装置110は、装置の地球物理位置を決定可能なシステムを有してもよく、また、それに接続されてもよい。システムは、汎地球測位システム(GPS:global  positioning  system)、外国若しくは他のエンティティにより運営されるGPSのようなシステム、又は到来時間差(TDOA:time  difference  of  arrival)、到来角度(AOA:angle  of  arrival)若しくは発信セル(COO:cell  of  origin)のような位置技術を使用したシステムでもよい。
【００１６】
GPS又は他のユニットは、装置及びそのユーザに対して限られた地理的領域内でビジネス、イベント又は他の関心ポイントを特定するために使用される位置情報の情報源でもよい。位置情報はまた、どれがユーザの現在位置に関連するかという点にのみ限定することにより、転送される更新情報の量を最小化するために使用されてもよい。転送される情報の量は、ユーザの検索基準により更に限定されてもよい。例えば、指定の位置のレストランの要求は、その位置のみの更新の転送を促し、また、ポイントAからポイントBへのドライブルートの要求は、配信されるルートに含まれる道路のみの更新の転送を促す。その他の例では、位置情報はどの情報がブロードキャストされるかを決定するために使用されてもよい。
【００１７】
携帯用ネットワーク装置110は、例えば、読み取り専用情報を格納して更新情報を記録することができるメモリキャッシュ、ディスクキャッシュ、不揮発性ランダムアクセスメモリ(NVRAM:non-volatile  random  access  memory)、磁気抵抗ランダムアクセスメモリ(MRAM:magnetoresistive  random  access  memory)又は混合機能ディスクを使用して、データプロバイダ150から受信した一部又は全部の更新情報を格納するソフトウェア及びハードウェアを有してもよく、それらに接続されてもよい。代替として、更新情報は、携帯用ネットワーク装置110又は周辺装置内に一時的に留まってもよい。
【００１８】
携帯用ネットワーク装置110は、装置のユーザがデータプロバイダ150からの更新情報の受信に関連する料金を受け入れることに合意することを可能にするソフトウェア及びハードウェアを有してもよく、それらに接続されてもよい。このような料金は、例えば更新情報を送信する無線通信ネットワーク140により算定された料金でもよく、また、更新情報を提供するデータプロバイダ150により算定された料金でもよい。
【００１９】
携帯用ネットワーク装置110は、ディスク130に提供された情報とデータプロバイダ150から受信した更新情報とを比較するソフトウェア及びハードウェアを有してもよく、それらに接続されてもよい。携帯用ネットワーク装置110はまた、ユーザ要求に応じてユーザに更新情報を配信し、新しい情報を報告し、ディスクに提供された古い情報をデータプロバイダ150から受信した情報と交換するソフトウェア及びハードウェアを有してもよく、それらに接続されてもよい。
【００２０】
携帯用ネットワーク装置110は、無線通信ネットワーク140を使用してデータプロバイダ150と通信可能な無線送受信機を有してもよく、それに接続されてもよい。携帯用ネットワーク装置110はまた、データプロバイダ150と通信可能なソフトウェア及び更なるハードウェアを有してもよく、それらに接続されてもよい。ソフトウェア及びハードウェアにより、例えば携帯用ネットワーク装置110が無線通信ネットワーク140を通じてデータプロバイダ150から更新情報を要求及び受信することが可能になってもよい。携帯用ネットワーク装置110とデータプロバイダ150との間の通信はまた、ユーザの検索基準、ディスクベースの情報装置の地球物理位置、ディスクベースの情報装置のユーザの識別子、使用されているアプリケーション又はディスクの識別子、及びシステム100とそのユーザとに関するその他の適切な情報に関する情報を有してもよい。
【００２１】
無線通信ネットワーク140は、携帯用ネットワーク装置110及びデータプロバイダ150と動作可能に接続されてもよい。無線通信ネットワーク140は、例えば、移動体電話ネットワーク、ローカルエリアネットワーク又は衛星ネットワークでもよい。
【００２２】
データプロバイダ150は、１つ以上のデータ送受信機151と、１つ以上のデータベース152とを有してもよい。データ送受信機151は、無線通信ネットワーク140を通じて携帯用ネットワーク装置110からデータを受信可能でもよく、携帯用ネットワーク装置110にデータを送信可能でもよい。データ送受信機151は、例えばIPルータ又はモデムでもよい。データベース152は、例えば、道路工事や、道路の閉鎖や、大きい自動車事故や、ホテルルームの価格及び可用性や、観光地の運営時間や、地域の広告や、特別の宣伝や、電話ディレクトリに関する更新情報を有してもよい。
【００２３】
図２は、200において、本発明に従って携帯用ディスクベースの情報装置を使用して更新情報を取得する方法の一実施例のフローチャートを示している。方法200は、データプロバイダから更新情報を要求するステップと、データプロバイダから更新情報を取得するステップと、ディスクに提供された情報と更新情報とを比較するステップと、ユーザ要求に応じてユーザに更新情報を配信し、新しい情報を報告し、ディスクに提供された古い情報をデータプロバイダから受信した情報と交換するステップとを有する。
【００２４】
まず、ユーザは図１に示すシステムを起動してもよい(ブロック210)。自動車ナビゲーションシステムの場合、例えばユーザは最新情報を有する利便性に料金を支払おうとすることがある。従って、ユーザは更新情報を受信することに関連する料金の承認に合意してもよい(ブロック220)。このような料金は、更新情報を提供するデータプロバイダ150により算定されたものを有してもよく、また、更新情報を送信する無線通信ネットワーク140により算定されたものを有してもよい。ユーザは、ディスクドライブにプログラムディスクを置き、アプリケーションを開始し、パスワードを入力し、アプリケーションのプロンプトに応答するような動作を行うことにより、又は更新を受信する指定の月額料金に事前に合意することにより、料金の承認に合意してもよい。
【００２５】
ユーザは、ポイントAからポイントBへの自動車ナビゲーションルートのような情報を要求してもよい(ブロック230)。これは、例えば、要求をセルラ電話に話すことにより、又は要求を携帯情報端末(PDA)に入力することにより、携帯用ネットワーク装置110を使用して実現されてもよい。
【００２６】
要求は無線通信ネットワーク140を通じて携帯用ネットワーク装置110からデータプロバイダ150に通信されてもよい(ブロック240)。要求は、ユーザの検索基準、ディスクベースの情報装置の地球物理位置、装置のユーザの識別子、使用されているアプリケーション若しくはディスクのバージョンの識別子、又はシステムとそのユーザとに関するその他の情報に関する情報を有してもよい。
【００２７】
この情報は、送信される更新情報の量を最小化するために使用されてもよい。例えば、ユーザの検索基準又は装置の地球物理位置は、特定の地理的領域に関するものに更新情報を限定するために使用されてもよい。ディスクバージョンを特定することにより、データプロバイダは特定のディスクバージョンがリリースされた後に生じたものに更新情報を限定することが可能になることがある。
【００２８】
要求に応じて、関連の更新情報がデータプロバイダにより送信され、システムにより受信されてもよい(ブロック250)。更新情報は一時的に留まってもよく、また、情報の一部又は全部は、例えば、読み取り専用情報を格納して更新情報を記録することができるメモリキャッシュ、ディスクキャッシュ、不揮発性ランダムアクセスメモリ(NVRAM)、磁気抵抗ランダムアクセスメモリ(MRAM)又は混合機能ディスクを使用して格納されてもよい。例えば、新しい道路又は新しい住所のような比較的不変の情報はディスクに保存されてもよい。
【００２９】
更新情報は、ディスクに提供された情報と比較されてもよい(ブロック260)。そのシステムは、ポイントAからポイントBへの推奨の自動車ルートを準備し(ブロック270)、データプロバイダから受信した何らかの新しい情報を報告し、ディスクに提供された古い情報をデータプロバイダから受信した更新情報と交換してもよい。
【００３０】
ルートがユーザに配信されると(ブロック280)、ことによるとリアルタイムトラヒック情報が提供される場合を除いて、ユーザは、どの情報がディスクに提供されたか、及びどの情報がデータプロバイダから受信されたかを気付かなくてもよい。
【００３１】
図３は、300において、本発明に従ってディスクベースの情報装置を使用して更新情報を取得する方法の一実施例のフローチャートである。方法300は、データプロバイダから更新情報を要求するステップと、データプロバイダから更新情報を取得するステップと、ディスクに提供された情報と更新情報とを比較するステップと、ユーザ要求に応じてユーザに更新情報を配信し、新しい情報を報告し、ディスクに提供された古い情報をデータプロバイダから受信した情報と交換するステップとを有する。
【００３２】
まず、ユーザは図１に示すシステムを起動してもよい(ブロック310)。都市ガイド又はビジネスディレクトリの場合、例えばディスク及び関連の更新情報はユーザに無料で提供されてもよい。従って、ユーザが更新情報を受信することに関連する料金に合意する必要がないことがある。ディスク及び更新情報のコストは、広告により相殺されてもよく、また、都市ガイド又はビジネスディレクトリに登場する商人等により支払われた料金により相殺されてもよい。
【００３３】
ユーザは、近くのレストランの位置のような情報を要求してもよい(ブロック320)。これは、例えば、要求をセルラ電話に話すことにより、又は要求を携帯情報端末(PDA)に入力することにより、携帯用ネットワーク装置110を使用して実現されてもよい。
【００３４】
要求は無線通信ネットワーク140を通じて携帯用ネットワーク装置110からデータプロバイダ150に通信されてもよい(ブロック330)。要求は、ユーザの検索基準、ディスクベースの情報装置の地球物理位置、装置のユーザの識別子、使用されているアプリケーション若しくはディスクのバージョンの識別子、又はシステム100とそのユーザとに関するその他の情報に関する情報を有してもよい。
【００３５】
この情報は、送信される更新情報の量を最小化するために使用されてもよい。例えば、ユーザの検索基準又は装置の地球物理位置は、特定の地理的領域に関するものに更新情報を限定するために使用されてもよい。ディスクバージョンを特定することにより、データプロバイダは特定のディスクバージョンがリリースされた後に生じたものに更新情報を限定することが可能になることがある。
【００３６】
要求に応じて、関連の更新情報がデータプロバイダにより送信され、システムにより受信されてもよい(ブロック340)。無料で提供されるサービスの場合、更新情報は特定の要求に応じて提供されるだけではなく、サービスを提供するものにより適切と考えられるものとして自発的に提供されてもよい。更新情報は一時的に留まってもよく、また、情報の一部又は全部は、例えば、読み取り専用情報を格納して更新情報を記録することができるメモリキャッシュ、ディスクキャッシュ、不揮発性ランダムアクセスメモリ(NVRAM)、磁気抵抗ランダムアクセスメモリ(MRAM)又は混合機能ディスクを使用して格納されてもよい。例えば、新しい道路又は新しい住所のような比較的不変の情報はディスクに保存されてもよい。
【００３７】
更新情報は、ディスクに提供された情報と比較されてもよい(ブロック350)。そのシステムは、要求の基準を満たすレストランのリストを準備し(ブロック360)、データプロバイダから受信した何らかの新しい情報を報告し、ディスクに提供された古い情報をデータプロバイダから受信した更新情報と交換してもよい。
【００３８】
リストがユーザに配信されると(ブロック370)、どの情報がもともとディスクに含まれていたか、及びどの情報がデータプロバイダから受信されたかが、ユーザにトランスペアレントになってもよい。要求の情報に加えて、そのシステムはまた、クーポン、広告、特別割引に関する情報又は他の同様の情報を配信してもよい。
【００３９】
図４は、400において、本発明に従ってディスクベースの情報装置を使用して更新情報を取得する方法の一実施例のフローチャートを示している。方法400は、データプロバイダから更新情報をブロードキャストするステップと、データプロバイダから更新情報を受信するステップと、ディスクに提供された情報と更新情報とを比較するステップと、ユーザ要求に応じてユーザに更新情報を配信し、新しい情報を報告し、ディスクに提供された古い情報をデータプロバイダから受信した情報と交換するステップとを有する。
【００４０】
情報は、無線通信ネットワーク140を通じて、ネットワーク装置110に含まれ又は分離した周辺装置としてネットワーク装置110に付属するディスクベースの情報システムに、データプロバイダ150によりブロードキャストされてもよい(ブロック410)。更新情報は、専用の接続ではなく、複数のディスクベースの情報装置に同時にブロードキャストされてもよい。
【００４１】
都市ガイド又はビジネスディレクトリの場合、例えばディスク及びブロードキャストの更新情報はユーザに無料で提供されてもよい。ディスク及び更新情報のコストは、広告により相殺されてもよく、また、都市ガイド又はビジネスディレクトリに登場する商人等により支払われた料金により相殺されてもよい。代替として、ユーザは、更新のブロードキャストを受信する指定の月額料金に事前に合意してもよい。
【００４２】
更新情報は一時的に留まってもよく、また、情報の一部又は全部は、例えば、読み取り専用情報を格納して更新情報を記録することができるメモリキャッシュ、ディスクキャッシュ、不揮発性ランダムアクセスメモリ(NVRAM)、磁気抵抗ランダムアクセスメモリ(MRAM)又は混合機能ディスクを使用して格納されてもよい。例えば、新しい道路又は新しい住所のような比較的不変の情報はディスクに保存されてもよい。
【００４３】
ユーザが図１に示すシステムを起動したときに(ブロック420)、ブロードキャストの更新情報は既に受信されていてもよい。ユーザは、近くのレストランの位置のような情報を要求してもよい(ブロック430)。これは、例えば、要求をセルラ電話に話すことにより、又は要求を携帯情報端末(PDA)に入力することにより、携帯用ネットワーク装置110を使用して実現されてもよい。
【００４４】
要求に応じて、システムはディスクに提供された情報と更新情報とを比較してもよい(ブロック440)。それは要求基準を満たすレストランのリストを準備し(ブロック450)、データプロバイダから受信した何らかの新しい情報を報告し、ディスクに提供された古い情報をデータプロバイダによりブロードキャストされた更新情報又はデータプロバイダから受信した更新情報と交換してもよい。
【００４５】
リストがユーザに配信されると(ブロック460)、どの情報がもともとディスクに含まれていたか、及びどの情報がデータプロバイダから受信されたかが、ユーザにトランスペアレントになってもよい。要求の情報に加えて、そのシステムはまた、クーポン、広告、特別割引に関する情報又は他の同様の情報を配信してもよい。
【００４６】
実際に、本発明により、大量の情報が読み取り専用ディスクのような安価な手段を使用して提供されることが可能になる。情報の更新は、移動体電話ネットワークのような更に高価な手段を使用して提供されてもよい。その２つを結合すると、常に最新の情報を取得する比較的安価な手段を提供する。
【００４７】
本発明の実施例は現時点で好ましいと考えられるが、本発明の要旨及び範囲を逸脱することなく、多様な変形及び変更が行われ得る。本発明の範囲は特許請求の範囲に示されており、均等の意味及び範囲内にある全ての変形及び変更がそれに含まれることを意図する。
【図面の簡単な説明】
【００４８】
【図１】本発明に従って携帯用ディスクベースの情報装置を使用して更新情報を取得するシステムの一実施例の図
【図２】図１による例示的なシステムにおいて、携帯用ディスクベースの情報装置を使用して更新情報を取得する方法の一実施例のフローチャート
【図３】図１による例示的なシステムにおいて、携帯用ディスクベースの情報装置を使用して更新情報を取得する方法のその他の実施例のフローチャート
【図４】図１による例示的なシステムにおいて、携帯用ディスクベースの情報装置を使用して更新情報を取得する方法のその他の実施例のフローチャート
【図１】
2006511155.tif 000003
【図２】
2006511155.tif 000004
【図３】
2006511155.tif 000005
【図４】
2006511155.tif 000006
【国際調査報告】
2006511155.tif 000007
2006511155.tif 000008
2006511155.tif 000009